(57)【要約】【解決手段】一体成形された棚部材Ｓを、載置部１と一対の側部２と奥部３とから構成するとともに、棚部材の成形時には、棚部材の背面を、略面一に形成し、棚部材を全体として、略厚板状に形成したものである。【効果】一体成形された棚部材を、載置部と一対の側部と奥部とから構成するとともに、棚部材の成形時には、棚部材の背面を、略面一に形成し、棚部材を全体として、略厚板状に形成したので、従来の棚部材のように、嵩張るようなことがなく、従って、棚部材の搬送や保管のスペースを減少するすることができる。【選択図】図１
2006255242.tif 000002
【特許請求の範囲】
【請求項１】
載置部と一対の側部と奥部とを有するとともに、成形時には、その背面が、略面一に形成されており、且つ、全体として、略厚板状に形成されていることを特徴とする棚部材。
【請求項２】
前記棚部材に、前記棚部材が取り付けられる側壁に形成された蟻溝部に嵌合可能な蟻部を形成したことを特徴とする請求項１に記載の棚部材。
【発明の詳細な説明】
【技術分野】
【０００１】
本発明は、建築現場や運動場や海水浴場等の屋外において使用される仮設トイレ等の仮設建屋に配設される棚部材に関するものである。
【背景技術】
【０００２】
従来、仮設建屋の側壁等に、ネジやボルト・ナット等の適当な固着具により取り付けられる棚部材が、一例として、特許文献１に記載されている。
【０００３】
【特許文献１】特開２００４−２２９８７７公報
【発明の開示】
【発明が解決しようとする課題】
【０００４】
上述した棚部材は、既に、棚部材としての形状に形成されているために、嵩張っており、棚部材の搬送や保管に多くのスペースが必要となるという問題があった。
【０００５】
また、上述した棚部材は、ネジやボルト・ナット等の適当な固着具により、側壁等に取り付けるために、棚部材の取り付けに時間と労力を要するとともに、棚部材を取り去った後の側壁等に、ネジ孔等の傷が残るという問題があった。
【０００６】
更に、仮設トイレ等の狭い空間での上述した棚部材の取り付け作業の場合には、特に、その作業性が悪いという問題があった。
【０００７】
本発明の目的は、従来の棚部材が有する課題を解決することにある。
【課題を解決するための手段】
【０００８】
本発明は、上述した目的を達成するために、第１には、一体成形された棚部材を、載置部と一対の側部と奥部とから構成するとともに、棚部材の成形時には、棚部材の背面を、略面一に形成し、棚部材を全体として、略厚板状に形成したものであり、第２には、棚部材に、棚部材が取り付けられる側壁に形成された蟻溝部に嵌合可能な蟻部を形成したものである。
【発明の効果】
【０００９】
一体成形された棚部材を、載置部と一対の側部と奥部とから構成するとともに、棚部材の成形時には、棚部材の背面を、略面一に形成し、棚部材を全体として、略厚板状に形成したので、従来の棚部材のように、嵩張るようなことがなく、従って、棚部材の搬送や保管のスペースを減少するすることができる。
【００１０】
棚部材に、棚部材が取り付けられる側壁に形成された蟻溝部に嵌合可能な蟻部を形成したので、仮設建屋等の狭い空間での棚部材の取り付け及び取り外しを、簡単に、且つ、迅速に行うことができるとともに、仮設建屋等に、ネジ孔等の傷が残るようなことを防止することができる。
【実施例】
【００１１】
以下に、本発明の実施例について説明するが、本発明の趣旨を越えない限り、何ら、本実施例に限定されるものではない。
【００１２】
棚部材Ｓは、少なくとも、荷物等が載置される略平坦な載置面１ａを有する平面形状が横長の略長方形状の載置部１と、載置部１の相対する短辺に連接された側部２と、載置部１の相対する長辺のうちの一方の長辺に連接された奥部３とを有している。
【００１３】
載置部１は、略平坦な載置面１ａと、該載置面１ａに略平行で、且つ、載置面１ａより小さな底面１ｂと、相対する短辺側に位置する短側面１ｃと、相対する長辺側に位置する長側面１ｄ’、１ｄ”とから形成されている。また、相対する長側面１ｄの一方の長側面１ｄ’は、載置面１ａ及び底面１ｂに対して略垂直に形成されているとともに、もう一方の長側面１ｄ”は、底面１ｂの一方の長辺から、載置面１ａの一方の長辺に向かって、外側に傾斜した傾斜面として形成されている。以下、載置面１ａ及び底面１ｂに対して略垂直な長側面１ｄ’を、垂直長側面と称し、傾斜した平坦な傾斜面として形成された長側面１ｄ”を、傾斜長側面と称する。更に、相対する短側面１ｃは、底面１ｂの相対する短辺から、載置面１ａの相対する短辺に向かって、外側に傾斜した平坦な傾斜面として形成されており、以下、短側面１ｃを傾斜短側面と称する。更にまた、傾斜短側面１ｃは、載置面１ａの短辺に対して垂直な垂直面に対して、略４５度、傾斜するように構成されているとともに、傾斜長側面１ｄ”は、載置面１ａの長辺に対して垂直な垂直面に対して、略４５度、傾斜するように構成されている。
【００１４】
載置部１の垂直長側面１ｄ’の両端部には、垂直長側面１ｄに略垂直な腕部１ｅが延設されており、相対する腕部１ｅの先端部には、相対する腕部１ｅを架橋するように、棒状持ち手部１ｆが形成されている。また、棒状持ち手部１ｆと反対側に位置する相対する腕部１ｅの外面（相対する腕部１ｅの対向する面に対して反対側の面）には、蟻溝嵌合部材を構成する蟻部と蟻溝部とのうちの蟻部Ｆ１が形成されている。
【００１５】
側部２は、載置部１の短辺に平行な略厚板状のブロック２ａ１と該ブロック２ａ１の一方の端部から、載置部１の長辺の略延長上に延在する略厚板状のブロック２ａ２とからなる略Ｌ字状のブロック部２ａと、上記のブロック２ａ１のもう一方の端部と上記のブロック２ａ２の先端部を連結する略Ｌ字状の持ち手部２ｂとを有している。また、載置部１の短辺に平行な略厚板状のブロック２ａ１には、載置部１の載置面１ａと略面一な外面２ｃ１と、載置部１の傾斜短側面１ｃと対向する傾斜面２ｃ２と、相対する三角形状の上面２ｃ３と、該上面２ｃ３と相対する同じく三角形状の下面２ｃ４とを有する三角筒状の連結部２ｃが連接されており、載置部１の傾斜短側面１ｃの先端と側部２を構成する連結部２ｃの傾斜面２ｃ２の先端とは、薄肉ヒンジ部Ｈ１を介して連結されている。更に、側部２を構成する連結部２ｃの外面２ｃ１と傾斜面２ｃ２とのなす角度は、略４５度に形成されており、従って、載置部１の載置面１ａと側部２を構成する連結部２ｃの外面２ｃ１とが略面一な状態においては、載置部１の傾斜短側面１ｃと側部２を構成する連結部２ｃの傾斜面２ｃ２とのなす角度は、略９０度に形成されている。更にまた、側部２を構成する略Ｌ字状のブロック部２ａの上記のブロック２ａ２の略Ｌ字状の持ち手部２ｂに対して反対側に位置する面２ａ２’には、所定の間隔をおいて、上述したと同様の蟻溝嵌合部材を構成する蟻部と蟻溝部とのうちの蟻部Ｆ１が形成されている。
【００１６】
奥部３は、略角筒状の本体３ａを有しており、本体３ａの載置部１側の上面３ａ１には、載置部１の載置面１ａと略面一な外面３ｂ１と、載置部１の傾斜長側面１ｄ”と対向する傾斜面３ｂ２と、相対する三角形状の側面３ｂ３とを有する三角筒状の連結部３ｂが連接されており、載置部１の傾斜長側面１ｄ”の先端と奥部３を構成する連結部３ｂの傾斜面３ｂ２の先端とは、上述した薄肉ヒンジ部Ｈ１と同様の薄肉ヒンジ部Ｈ１を介して連結されている。また、本体３ａの外面３ｂ１の傾斜面３ｂ２とのなす角度は、略４５度に形成されており、従って、奥部３を構成する本体３ａの外面３ｂ１と載置部１の載置面１ａとが略面一な状態においては、載置部１の傾斜長側面１ｄ”と奥部３を構成する本体３ａの傾斜面３ｂ２とのなす角度は、略９０度に形成されている。更に、本体３ａは、前面３ａ２と該前面３ａ２と相対する背面３ａ３を有しており、背面３ａ３も、載置部１の載置面１ａと略面一に形成されている。
【００１７】
上述した構成を有する棚部材Ｓは、ブロー成形等により、合成樹脂で一体成形されており、合成樹脂で一体成形された状態においては、図４に示されているように、載置部１の載置面１ａ、側部２を構成する三角筒状の連結部２ｃの外面２ｃ１及び奥部３を構成する三角筒状の連結部３ｂの外面３ｂ１と本体３ａの背面３ａ３とが略面一な厚板状に形成されている。
【００１８】
上述した構成を有する棚部材Ｓの奥部３の傾斜面３ｂ２と該傾斜面３ｂ２と対向する載置部１の傾斜長側面１ｄ”とが当接するように、薄肉ヒンジ部Ｈ１を中心に、奥部３或いは載置部１と一対の側部２を、載置部１と一対の側部２とが、奥部３と直交するように回動させるとともに、載置部１の傾斜短側面１ｃと該傾斜短側面１ｃと対向する側部２の傾斜面２ｃ２とが当接するように、一対の側部２を、薄肉ヒンジ部Ｈ１を中心に、載置部１と直交するように回動させる。このようにして、図５及び図６に示されているように、棚部材Ｓを、成形された状態の厚板状から、略箱型状の最終形状としての棚部材Ｓに組み立てる。
【００１９】
上述したように、棚部材Ｓが組み立てられた際には、奥部３を構成する本体３ａの背面３ａ３と、側部２を構成する略Ｌ字状のブロック部２ａのブロック２ａ２の略Ｌ字状の持ち手部２ｂに対して反対側に位置する面２ａ２’とは、図５に示されているように、略面一になるように構成されている。そして、棚部材Ｓが組み立てられた際には、棚部材Ｓの背面Ｓ’に、側部２の上記の面２ａ２’に形成された蟻部Ｆ１が突設されることになる。
【００２０】
また、棚部材Ｓが組み立てられた際には、側部２を構成する連結部２ｃの外面２ｃ１と、載置部１の傾斜短側面１ｃと対向する傾斜面２ｃ２と、相対する三角形状の上面２ｃ３と、載置部１の垂直長側面１ｄ’の両端部に延設された腕部１ｅの外面１ｅ１とが、略面一になるように、棚部材Ｓが全体として、略厚板状に形成されている。そして、棚部材Ｓが組み立てられた際には、棚部材Ｓの側面Ｓ”に、腕部１ｅの外面１ｅ１に形成された蟻部Ｆ１が突設されることになる。
【００２１】
次に、図７〜図９を用いて、棚部材Ｓを、仮設トイレ等の仮設建屋Ｔの側壁ｔ１に取り付ける手段について説明する。
【００２２】
Ｆ２は、蟻溝嵌合部材を構成する蟻部と蟻溝部とのうちの蟻溝部であり、本実施例の場合には、仮設建屋Ｔの直交する側壁の一方の側壁ｔ１には、組み立てられた棚部材Ｓの背面Ｓ’に形成された４つの蟻部Ｆ１に対応して、４個の蟻溝部Ｆ２が形成されており、また、上記の一方の側壁ｔ１と直交するもう一方の側壁ｔ２には、組み立てられた棚部材Ｓの側面Ｓ”に形成された１つの蟻部Ｆ１に対応して、１個の蟻溝部Ｆ２が形成されている。
【００２３】
図８に示されているように、蟻溝部Ｆ２は、蟻部Ｆ１が挿入可能な蟻部挿入凹部ｆ１を有しており、蟻部挿入凹部ｆ１の下方には、蟻部Ｆ１の相対する凸部ｆ２が嵌合可能な相対する嵌合凹部ｆ３が形成されている。
【００２４】
上述したようにして組み立てられた棚部材Ｓの背面Ｓ’に形成された４つの蟻部Ｆ１を、仮設建屋Ｔの一方の側壁ｔ１に形成された４つの蟻溝部Ｆ２に対向させるとともに、棚部材Ｓの側面Ｓ”に形成された１つの蟻部Ｆ１を、仮設建屋Ｔのもう一方の側壁ｔ２に形成された１つの蟻溝部Ｆ２に対向させる。その後、棚部材Ｓを、仮設建屋Ｔの側壁ｔ１、ｔ２に接近させて、蟻部Ｆ１を、蟻溝部Ｆ２を構成する蟻部挿入凹部ｆ１に挿入し、その後、棚部材Ｓを下降させることにより、蟻部Ｆ１の凸部ｆ２を、蟻溝部Ｆ２を構成する蟻部嵌合凹部ｆ３に嵌合させることにより、棚部材Ｓを、側壁ｔ１、ｔ２とからなる仮設建屋Ｔの隅部に取り付ける。
【００２５】
なお、棚部材Ｓの背面Ｓ’に形成された４つの蟻部Ｆ１を、仮設建屋Ｔの一方の側壁ｔ１に形成された４つの蟻溝部Ｆ２に嵌合することにより、仮設建屋Ｔの隅部ではなく、平坦な側壁に取り付けることもできる。
【００２６】
上述したように、載置部１と一対の側部２と奥部３とからなる一体成形された棚部材Ｓの成形時には、側部２を構成する連結部２ｃの外面２ｃ１と、載置部１の傾斜短側面１ｃと対向する傾斜面２ｃ２と、相対する三角形状の上面２ｃ３と、載置部１の垂直長側面１ｄ’の両端部に延設された腕部１ｅの外面１ｅ１とが、略面一になるように、棚部材Ｓが全体として、略厚板状に形成されているので、従来の棚部材のように、嵩張るようなことがないので、棚部材Ｓの搬送や保管のスペースを減少するすることができる。
【００２７】
また、棚部材Ｓの背面Ｓ’或いは／及び側面Ｓ”に形成された４つの蟻部Ｆ１を、仮設建屋Ｔの側壁ｔ１、ｔ２に形成された蟻溝部Ｆ２に嵌合するように構成したので、仮設建屋Ｔの側壁ｔ１、ｔ２への棚部材Ｓの取り付け及び取り外しを、簡単に、且つ、迅速に行うことができるとともに、仮設建屋Ｔの側壁ｔ１、ｔ２に、ネジ孔等の傷が残るようなことを防止することができる。
【００２８】
更に、棚部材Ｓの背面Ｓ’と側面Ｓ”に、蟻部Ｆ１を形成することにより、仮設建屋Ｔの隅部に、棚部材Ｓを配設することができるので、仮設建屋Ｔの隅部を、棚部材Ｓにより補強することができ、従って、仮設建屋Ｔの強度や剛性を高めることができる。
【図面の簡単な説明】
【００２９】
【図１】図１は、本発明の棚部材の展開状態の斜視図である。
【図２】図２は、同じく、本発明の棚部材の展開状態の斜視図である。
【図３】図３は、本発明の棚部材の展開状態の正面図である。
【図４】図４は、本発明の棚部材の展開状態の裏面図である。
【図５】図５は、組み立てられた状態の本発明の棚部材の背面側からの斜視図である。
【図６】図６は、組み立てられた状態の本発明の棚部材の前面側からの斜視図である。
【図７】図７は、組み立てられた状態の本発明の棚部材が取り付けられる仮設建屋の側壁の部分斜視図である。
【図８】図８は、組み立てられた状態の本発明の棚部材の仮設建屋への取り付け前の蟻部と蟻溝部の斜視図である。
【図９】図９は、組み立てられた状態の本発明の棚部材が、仮設建屋に取り付けられた状態の斜視図である。
【符号の説明】
【００３０】
Ｆ１・・・・・・・・・・・・・蟻部
Ｆ２・・・・・・・・・・・・・蟻溝部
Ｈ１・・・・・・・・・・・・・薄肉ヒンジ部
Ｓ・・・・・・・・・・・・・・棚部材
１・・・・・・・・・・・・・・載置部
２・・・・・・・・・・・・・・側部
３・・・・・・・・・・・・・・奥部
【図１】
2006255242.tif 000003
【図２】
2006255242.tif 000004
【図３】
2006255242.tif 000005
【図４】
2006255242.tif 000006
【図５】
2006255242.tif 000007
【図６】
2006255242.tif 000008
【図７】
2006255242.tif 000009
【図８】
2006255242.tif 000010
【図９】
2006255242.tif 000011